【手続補正書】
【提出日】平成17年3月10日(2005.3.10)
【手続補正１】
【補正対象書類名】明細書
【補正対象項目名】特許請求の範囲
【補正方法】変更
【補正の内容】
【特許請求の範囲】
【請求項１】
入力画像信号から上記入力画像信号と異なる出力画像信号を形成するようにした画像情報変換装置において、
入力画像信号に存在するラインと対応するラインの出力画像信号の画素値を生成する第１の信号生成手段と、
入力画像信号に存在するラインと対応しないラインの出力画像信号の画素値を生成する第２の信号生成手段とからなり、
上記第１および第２の信号生成手段は、
上記出力画像信号の生成すべき第１の画素の周辺に位置する上記入力画像信号の複数の第２の画素に基づいて、クラス情報を形成するクラス決定手段と、
予め取得されている予測係数をクラス情報毎に記憶し、上記クラス決定手段からの上記クラス情報が入力されることによって、予測係数を出力するメモリ手段と、
上記出力画像信号の生成すべき第１の画素の周辺に位置する入力画像信号の複数の第３の画素と、上記メモリ手段からの予測係数との演算によって、上記第１の画素を生成する画素値生成手段とをそれぞれ有することを特徴とする画像情報変換装置。
【請求項２】
入力画像信号から上記入力画像信号と異なる画像信号を表示するようにした画像表示装置において、
入力画像信号源と表示装置との間に、画像情報変換装置を設け、
上記画像情報変換装置は、
入力画像信号に存在するラインと対応するラインの出力画像信号の画素値を生成する第１の信号生成手段と、
入力画像信号に存在するラインと対応しないラインの出力画像信号の画素値を生成する第２の信号生成手段とからなり、
上記第１および第２の信号生成手段は、
上記出力画像信号の生成すべき第１の画素の周辺に位置する上記入力画像信号の複数の第２の画素に基づいて、クラス情報を形成するクラス決定手段と、
予め取得されている予測係数をクラス情報毎に記憶し、上記クラス決定手段からの上記クラス情報が入力されることによって、予測係数を出力するメモリ手段と、
上記出力画像信号の生成すべき第１の画素の周辺に位置する入力画像信号の複数の第３の画素と、上記メモリ手段からの予測係数との演算によって、上記第１の画素を生成する画素値生成手段とをそれぞれ有することを特徴とする画像表示装置。
【請求項３】
請求項１または２において、
上記第１および第２の信号生成手段に対して接続され、ライン倍速処理を行う走査変換手段をさらに有することを特徴とする装置。
【請求項４】
請求項１または２において、
上記第１および第２の信号生成手段は、さらに、水平方向に上記入力画像信号の２倍の画素数の出力画像信号を生成することを特徴とする装置。
【請求項５】
請求項１または２において、
上記予測係数は、上記線形推定式によって、上記第１の画素を生成した時に、生成された値と上記第１の画素の真値との誤差を最小とするように、上記クラス情報毎に予め学習によって求めることを特徴とする装置。
【請求項６】
入力画像信号から上記入力画像信号と異なる出力画像信号を形成するようにした画像情報変換方法において、
入力画像信号に存在するラインと対応するラインの出力画像信号の画素値を生成する第１の信号生成のステップと、
入力画像信号に存在するラインと対応しないラインの出力画像信号の画素値を生成する第２の信号生成のステップとからなり、
上記第１および第２の信号生成のステップは、
出力画像信号の生成すべき第１の画素の周辺に位置する入力画像信号の複数の第２の画素に基づいて、クラス情報を形成するステップと、
予め取得されている予測係数をクラス情報毎に記憶し、決定されたクラス情報が入力されることによって、予測係数を出力するステップと、
出力画像信号の生成すべき第１の画素の周辺に位置する入力画像信号の複数の第２の画素と、出力された上記予測係数との演算によって、上記第１の画素を生成する画素値生成のステップとをそれぞれ有することを特徴とする画像情報変換方法。
【手続補正２】
【補正対象書類名】明細書
【補正対象項目名】０００８
【補正方法】変更
【補正の内容】
【０００８】
【課題を解決するための手段】
上述した課題を達成するために、請求項１の発明は、入力画像信号から入力画像信号と異なる出力画像信号を形成するようにした画像情報変換装置において、
入力画像信号に存在するラインと対応するラインの出力画像信号の画素値を生成する第１の信号生成手段と、
入力画像信号に存在するラインと対応しないラインの出力画像信号の画素値を生成する第２の信号生成手段とからなり、
第１および第２の信号生成手段は、
出力画像信号の生成すべき第１の画素の周辺に位置する入力画像信号の複数の第２の画素に基づいて、クラス情報を形成するクラス決定手段と、
予め取得されている予測係数をクラス情報毎に記憶し、クラス決定手段からのクラス情報が入力されることによって、予測係数を出力するメモリ手段と、
出力画像信号の生成すべき第１の画素の周辺に位置する入力画像信号の複数の第３の画素と、メモリ手段からの予測係数との演算によって、第１の画素を生成する画素値生成手段とをそれぞれ有することを特徴とする画像情報変換装置である。
【手続補正３】
【補正対象書類名】明細書
【補正対象項目名】０００９
【補正方法】変更
【補正の内容】
【０００９】
請求項２の発明は、入力画像信号から入力画像信号と異なる画像信号を表示するようにした画像表示装置において、
入力画像信号源と表示装置との間に、画像情報変換装置を設け、
画像情報変換装置は、
入力画像信号に存在するラインと対応するラインの出力画像信号の画素値を生成する第１の信号生成手段と、
入力画像信号に存在するラインと対応しないラインの出力画像信号の画素値を生成する第２の信号生成手段とからなり、
第１および第２の信号生成手段は、
出力画像信号の生成すべき第１の画素の周辺に位置する入力画像信号の複数の第２の画素に基づいて、クラス情報を形成するクラス決定手段と、
予め取得されている予測係数をクラス情報毎に記憶し、クラス決定手段からのクラス情報が入力されることによって、予測係数を出力するメモリ手段と、
出力画像信号の生成すべき第１の画素の周辺に位置する入力画像信号の複数の第３の画素と、メモリ手段からの予測係数との演算によって、第１の画素を生成する画素値生成手段とをそれぞれ有することを特徴とする画像表示装置である。
【手続補正４】
【補正対象書類名】明細書
【補正対象項目名】００１０
【補正方法】変更
【補正の内容】
【００１０】
請求項６の発明は、入力画像信号から入力画像信号と異なる出力画像信号を形成するようにした画像情報変換方法において、
入力画像信号に存在するラインと対応するラインの出力画像信号の画素値を生成する第１の信号生成のステップと、
入力画像信号に存在するラインと対応しないラインの出力画像信号の画素値を生成する第２の信号生成のステップとからなり、
第１および第２の信号生成のステップは、
出力画像信号の生成すべき第１の画素の周辺に位置する入力画像信号の複数の第２の画素に基づいて、クラス情報を形成するステップと、
予め取得されている予測係数をクラス情報毎に記憶し、決定されたクラス情報が入力されることによって、予測係数を出力するステップと、
出力画像信号の生成すべき第１の画素の周辺に位置する入力画像信号の複数の第２の画素と、出力された予測係数との演算によって、第１の画素を生成する画素値生成のステップとをそれぞれ有することを特徴とする画像情報変換方法である。